【手続補正書】
【提出日】平成29年12月20日(2017.12.20)
【手続補正１】
【補正対象書類名】特許請求の範囲
【補正対象項目名】全文
【補正方法】変更
【補正の内容】
【特許請求の範囲】
【請求項１】
記録媒体に対して第１の種類の液体を吐出する複数の吐出口が第１の方向に配列された第１の吐出口群と、前記第１の吐出口群に沿って設けられる、記録媒体に対して前記第１の種類の液体を吐出する第２の吐出口群と、を備える液体吐出ヘッドであって、
前記第１の吐出口群は前記第２の吐出口群に対して前記記録媒体と前記液体吐出ヘッドの相対移動方向に関する上流側に設けられており、
前記第１の吐出口群に含まれる複数の吐出口は、前記第１の方向にジグザグ状に設けられており、前記第１の方向に互いに隣接する吐出口から吐出される液体は記録媒体上で接触する、液体吐出ヘッド。
【請求項２】
前記第２の吐出口群に含まれる複数の吐出口は、前記第１の方向にジグザグ状に設けられている、請求項１に記載の液体吐出ヘッド。
【請求項３】
前記第１の吐出口群におけるジグザグ状の吐出口列の周期と、前記第２の吐出口群におけるジグザグ状の吐出口列の周期は等しい、請求項１または２に記載の液体吐出ヘッド。
【請求項４】
前記第１の吐出口群に含まれるジグザグ状の吐出口列の頂部と、前記第２の吐出口群に含まれるジグザグ状の吐出口列の頂部は、前記第１の方向にずれている、請求項１から３のいずれか１項に記載の液体吐出ヘッド。
【請求項５】
前記第１の吐出口群に含まれる吐出口と、前記第２の吐出口群に含まれる吐出口とは、前記第１の方向にずれている、請求項１から４のいずれか１項に記載の液体吐出ヘッド。
【請求項６】
前記吐出口に液体を供給するための液体流路が前記第１の方向に延在している、請求項１から５のいずれか１項に記載の液体吐出ヘッド。
【請求項７】
前記液体流路は、前記第１の吐出口群におけるジグザグ状の吐出口列の、前記第１の方向と交差する第２の方向に関する一端側に設けられる第１の液体流路と、他端側に設けられる第２の液体流路とを含む、請求項６に記載の液体吐出ヘッド。
【請求項８】
前記液体流路は、前記第１の吐出口群におけるジグザグ状の吐出口列に液体を供給するための、前記第１の液体流路と前記第２の液体流路との間に前記第１の液体流路に沿って設けられる第３の液体流路を備える、請求項７に記載の液体吐出ヘッド。
【請求項９】
前記第２の液体流路は、前記第１の吐出口群に含まれる吐出口と、前記第２の吐出口群に含まれる吐出口とに連通している、請求項７または８に記載の液体吐出ヘッド。
【請求項１０】
前記第１の液体流路から前記第１の吐出口群に含まれる吐出口に液体を供給するための第１の個別流路と、前記第２の液体流路から前記第１の吐出口群に含まれる吐出口に液体を供給するための第２の個別流路とを備える、請求項７から９のいずれか１項に記載の液体吐出ヘッド。
【請求項１１】
前記第１の個別流路と前記第２の個別流路は、前記第２の方向に沿って延在している、請求項１０に記載の液体吐出ヘッド。
【請求項１２】
前記第１の個別流路は前記第１の液体流路から前記第２の液体流路に向かって延在しており、前記第２の個別流路は前記第２の液体流路から前記第１の液体流路に向かって延在している、請求項１０または１１に記載の液体吐出ヘッド。
【請求項１３】
前記第３の液体流路から前記第１の吐出口群に含まれる吐出口に液体を供給する複数の第３の個別流路を備える、請求項８から１２のいずれか１項に記載の液体吐出ヘッド。
【請求項１４】
前記複数の第３の個別流路は、前記第３の液体流路から前記第１の液体流路に向かって延在する個別流路と、前記第３の液体流路から前記第２の液体流路に向かって延在する個別流路とを含む、請求項１３に記載の液体吐出ヘッド。
【請求項１５】
前記第１の吐出口群及び前記第２の吐出口群に含まれる吐出口列は、記録媒体に対応した長さを備える、請求項１から１４のいずれか１項に記載の液体吐出ヘッド。
【請求項１６】
前記第１の吐出口群は、第１の吐出口と、前記第１の方向に関して前記第１の吐出口に隣接する第２の吐出口と、前記第２の吐出口に対して前記第１の吐出口とは反対側に隣接する第３の吐出口と、を含み、前記第１の方向に交差する第２の方向に関して、前記第１の吐出口と前記第２の吐出口との間隔と、前記第２の吐出口と前記第３の吐出口との間隔とは実質的に等しい、請求項１から１５のいずれか１項に記載の液体吐出ヘッド。
【請求項１７】
記録媒体に第１の種類の液体を液滴として吐出する複数の吐出口を含む、記録媒体と液体吐出ヘッドとの相対移動方向に対して交差する方向に夫々延在する複数の吐出口群を備える吐出口面と、
前記吐出口から液滴を吐出するために利用されるエネルギーを発生するエネルギー発生素子を内部に備える複数の液室と、を備え、
複数の前記吐出口群のうち少なくとも１つの吐出口群に含まれる複数の吐出口はジグザグ状に配されており、前記ジグザグ状に配された複数の吐出口は、当該吐出口から吐出された液滴によって記録媒体上に前記交差する方向に記録される直線を構成する複数のドットのうち隣接するドットの着弾時間差が所定値以下となるような配置である、液体吐出ヘッド。
【請求項１８】
前記ジグザグ状に配される複数の吐出口を含む第１の吐出口群と第２の吐出口群とを備える、請求項１７に記載の液体吐出ヘッド。
【請求項１９】
前記第１の吐出口群におけるジグザグ状の吐出口列の周期と、前記第２の吐出口群におけるジグザグ状の吐出口列の周期は等しい、請求項１８に記載の液体吐出ヘッド。
【請求項２０】
前記第１の吐出口群に含まれるジグザグ状の吐出口列の頂部と、前記第２の吐出口群に含まれるジグザグ状の吐出口列の頂部は、前記第１の方向にずれている、請求項１８または１９に記載の液体吐出ヘッド。
【請求項２１】
請求項１から２０のいずれか１項に記載の液体吐出ヘッドと、
記録媒体を搬送する搬送ユニットと、
を備える液体吐出装置。
【請求項２２】
液体吐出ヘッドによる液体吐出方法であって、
第１の種類の液体を吐出する複数の吐出口が第１の方向にジグザグ状に配列された第１の吐出口群と、前記第１の種類の液体を吐出する複数の吐出口が前記第１の吐出口群に並置して配列される第２の吐出口群と、を備える液体吐出ヘッドを用意する第１の工程と、
前記第１の吐出口群に含まれる第１の吐出口から液体を吐出し、前記記録媒体上に第１のドットを形成する第２の工程と、
前記第１の吐出口群に含まれ、前記第１の方向に関して前記第１の吐出口に隣接する第２の吐出口から液体を吐出し、前記記録媒体上の前記第１のドットに接触するように第２のドットを形成する第３の工程と、
前記第１の吐出口群に含まれ、前記第１の方向に関して前記第２の吐出口に対して前記第１の吐出口と反対側に隣接する第３の吐出口から液体を吐出し、前記記録媒体上の前記第２のドットに接触するように第３のドットを形成する第４の工程と、
前記第２の吐出口群に含まれる第４の吐出口から液体を吐出し、前記記録媒体上の前記第１のドット、第２のドット及び前記第３のドットの少なくともいずれかのドットに接触するように第４のドットを形成する第５の工程と、を含む液体吐出方法。
【請求項２３】
前記第１の方向に交差する第２の方向に関して、前記第１の吐出口と前記第２の吐出口との間隔と、前記第２の吐出口と前記第３の吐出口との間隔とは実質的に等しい、請求項２２に記載の液体吐出方法。
【請求項２４】
前記第１の吐出口から吐出された液体が記録媒体に着弾してから、前記第２の吐出口から吐出された液体が記録媒体に着弾するまでの時間と、前記第２の吐出口から吐出された液体が記録媒体に着弾してから、前記第３の吐出口から吐出された液体が記録媒体に着弾するまでの時間とは実質的に等しい、請求項２２または２３に記載の液体吐出方法。
【手続補正２】
【補正対象書類名】明細書
【補正対象項目名】０００９
【補正方法】変更
【補正の内容】
【０００９】
また、本発明の液体吐出方法は、液体吐出ヘッドによる液体吐出方法であって、第１の種類の液体を吐出する複数の吐出口が第１の方向にジグザグ状に配列された第１の吐出口群と、前記第１の種類の液体を吐出する複数の吐出口が前記第１の吐出口群に並置して配列される第２の吐出口群と、を備える液体吐出ヘッドを用意する第１の工程と、
前記第１の吐出口群に含まれる第１の吐出口から液体を吐出し、前記記録媒体上に第１のドットを形成する第２の工程と、前記第１の吐出口群に含まれ、前記第１の方向に関して前記第１の吐出口に隣接する第２の吐出口から液体を吐出し、前記記録媒体上の前記第１のドットに接触するように第２のドットを形成する第３の工程と、前記第１の吐出口群に含まれ、前記第１の方向に関して前記第２の吐出口に対して前記第１の吐出口と反対側に隣接する第３の吐出口から液体を吐出し、前記記録媒体上の前記第２のドットに接触するように第３のドットを形成する第４の工程と、前記第２の吐出口群に含まれる第４の吐出口から液体を吐出し、前記記録媒体上の前記第１のドット、第２のドット及び前記第３のドットの少なくともいずれかのドットに接触するように第４のドットを形成する第５の工程と、を含む。